(57)【要約】  認知機能評価装置（１００）は、認知機能の評価を行うための被評価者の第１音声データを取得する前に、被評価者のテスト用の第２音声データを集音装置（３００）から取得する取得部（１１０）と、取得された第２音声データに基づいて、第１音声データの音量を所定の音量範囲に近づけるための情報処理を行うテスト処理部（１７０）とを備える。
2020208889.tif 000002
【特許請求の範囲】
【請求項１】
認知機能の評価を行うための被評価者の第１音声データを取得する前に、前記被評価者のテスト用の第２音声データを集音装置から取得する取得部と、
取得された前記第２音声データに基づいて、前記第１音声データの音量を所定の音量範囲に近づけるための情報処理を行う情報処理部とを備える
認知機能評価装置。
【請求項２】
前記情報処理部は、前記情報処理として、前記被評価者に発話音量の調整を指示する情報を提示する
請求項１に記載の認知機能評価装置。
【請求項３】
前記情報処理部は、
前記第２音声データの音量が前記所定の音量範囲よりも大きいと判定された場合に、小さい声で発話することを指示する情報を前記被評価者に提示し、
前記第２音声データの音量が前記所定の音量範囲よりも小さいと判定された場合に、大きい声で発話することを指示する情報を前記被評価者に提示する
請求項２に記載の認知機能評価装置。
【請求項４】
前記情報処理部は、前記情報処理として、前記被評価者に前記被評価者と前記集音装置との位置関係の調整を指示する情報を提示する
請求項１に記載の認知機能評価装置。
【請求項５】
前記集音装置は、固定されており、
前記情報処理部は、
前記第２音声データの音量が前記所定の音量範囲よりも大きいと判定された場合に、前記集音装置から遠ざかって発話することを指示する情報を前記被評価者に提示し、
前記第２音声データの音量が前記所定の音量範囲よりも小さいと判定された場合に、前記集音装置に近づいて発話することを指示する情報を前記被評価者に提示する
請求項４に記載の認知機能評価装置。
【請求項６】
前記集音装置は、手動で位置調整が可能であり、
前記情報処理部は、
前記第２音声データの音量が前記所定の音量範囲よりも大きいと判定された場合に、前記集音装置を前記被評価者から遠ざけて発話することを指示する情報を前記被評価者に提示し、
前記第２音声データの音量が前記所定の音量範囲よりも小さいと判定された場合に、前記集音装置を前記被評価者に近づけて発話することを指示する情報を前記被評価者に提示する
請求項４に記載の認知機能評価装置。
【請求項７】
前記集音装置は、前記集音装置の位置を調整するための電動駆動装置に接続され、
前記情報処理部は、前記情報処理として、前記電動駆動装置を駆動するための制御信号を出力する
請求項１に記載の認知機能評価装置。
【請求項８】
さらに、記憶部を備え、
前記情報処理部は、
前記情報処理を行った後、前記情報処理の内容を前記被評価者の識別情報と対応付けて前記記憶部に記憶し、
前記情報処理の内容が記憶された後に前記被評価者の認知機能の評価を行う際に、前記記憶部に記憶された情報処理と内容が同一の情報処理を行う
請求項１〜７のいずれか１項に記載の認知機能評価装置。
【請求項９】
請求項１〜８のいずれか１項に記載の認知機能評価装置と、
前記集音装置とを備える
認知機能評価システム。
【請求項１０】
認知機能の評価を行うための被評価者の第１音声データを取得する前に、前記被評価者のテスト用の第２音声データを集音装置から取得する取得ステップと、
取得された前記第２音声データに基づいて、前記第１音声データの音量を所定の音量範囲に近づけるための情報処理を行う情報処理ステップとを含む
認知機能評価方法。
【請求項１１】
請求項１０に記載の認知機能評価方法をコンピュータに実行させるためのプログラム。
【発明の詳細な説明】
【技術分野】
【０００１】
本発明は、被評価者の認知機能を評価することができる、認知機能評価装置、認知機能評価システム、認知機能評価方法、及び、プログラムに関する。
【背景技術】
【０００２】
従来から、認知機能を評価するテストとして、認知機能が評価される患者である被評価者がテスト用紙に解答を記載する方法である改訂長谷川式簡易知能評価スケール（ＨＤＳ−Ｒ）、ＭＭＳＥ（Ｍｉｎｉ−Ｍｅｎｔａｌ  Ｓｔａｔｅ  Ｅｘａｍｉｎａｔｉｏｎ：ミニメンタルステート検査）、ＣＤＲ（Ｃｌｉｎｉｃａｌ  Ｄｅｍｅｎｔｉａ  Ｒａｔｉｎｇ）等がある。これらは、一定のトレーニングの受けた医師、臨床心理士等が、被評価者に対して医療機関で行うものである。【０００３】
また、特許文献１及び２には、被評価者の音声データから特徴量を算出し、特徴量から前記被評価者の認知機能を評価する認知機能評価装置が開示されている。
【先行技術文献】
【特許文献】
【０００４】
【特許文献１】特許第６２６８６２８号公報
【特許文献２】特許第６３３７３６２号公報
【発明の概要】
【発明が解決しようとする課題】
【０００５】
特許文献１及び２に記載の認知機能評価装置には、精度良く被評価者の認知機能の評価をすることが要求されている。【０００６】
そこで、本発明は、精度良く被評価者の認知機能の評価を行うことができる認知機能評価装置等を提供する。
【課題を解決するための手段】
【０００７】
本発明の一態様に係る認知機能評価装置は、認知機能の評価を行うための被評価者の第１音声データを取得する前に、前記被評価者のテスト用の第２音声データを集音装置から取得する取得部と、取得された前記第２音声データに基づいて、前記第１音声データの音量を所定の音量範囲に近づけるための情報処理を行う情報処理部を備える。【０００８】
本発明の一態様に係る認知機能評価システムは、前記認知機能評価装置と、前記集音装置とを備える。【０００９】
本発明の一態様に係る認知機能評価方法は、認知機能の評価を行うための被評価者の第１音声データを取得する前に、前記被評価者のテスト用の第２音声データを集音装置から取得する取得ステップと、取得された前記第２音声データに基づいて、前記第１音声データの音量を所定の音量範囲に近づけるための情報処理を行う情報処理ステップとを含む。【００１０】
本発明の一態様に係るプログラムは、前記認知機能評価方法をコンピュータに実行させるプログラムである。
【発明の効果】
【００１１】
本発明の認知機能評価装置等は、精度良く被評価者の認知機能の評価を行うことができる。
【図面の簡単な説明】
【００１２】
【図１】図１は、実施の形態に係る認知機能評価システムの構成を示す図である。
【図２】図２は、実施の形態に係る認知機能評価システムの特徴的な機能構成を示すブロック図である。
【図３】図３は、実施の形態に係る認知機能評価装置の動作のフローチャートである。
【図４】図４は、音量テスト処理の手順を示すフローチャートである。
【図５】図５は、テスト指示用の画像の一例を示す図である。
【図６】図６は、被評価者の音量が適正であることを示す第１画像の一例を示す図である。
【図７】図７は、被評価者に小さい声で発話することを指示する第２画像の一例を示す図である。
【図８】図８は、被評価者に大きい声で発話することを指示する第３画像の一例を示す図である。
【図９】図９は、被評価者に集音装置から遠ざかって発話することを指示する画像の一例を示す図である。
【図１０】図１０は、被評価者に集音装置に近づいて発話することを指示する画像の一例を示す図である。
【図１１】図１１は、被評価者に、集音装置を被評価者から遠ざけて発話することを指示する画像の一例を示す図である。
【図１２】図１２は、被評価者に、集音装置を被評価者に近づけて発話することを指示する画像の一例を示す図である。
【図１３】図１３は、集音装置が電動駆動装置に接続される場合の認知機能評価システムの構成を示す図である。
【図１４】図１４は、認知機能評価処理の手順を示すフローチャートである。
【図１５】図１５は、実施の形態に係る認知機能評価装置による被評価者の音声の取得方法の概要を示す図である。
【図１６】図１６は、評価結果に対応する画像の一例を示す図である。
【図１７】図１７は、音声データから算出部が算出するフォルマントを説明するための図である。
【図１８】図１８は、被評価者がＭｏＣＡテストを受けた際に獲得したスコアを示す図である。
【図１９】図１９は、実施の形態の変形例１に係る認知機能評価システムの構成を示す図である。
【図２０】図２０は、実施の形態の変形例２に係る認知機能評価システムの構成を示す図である。
【発明を実施するための形態】
【００１３】
以下、実施の形態について、図面を参照しながら説明する。なお、以下で説明する実施の形態は、いずれも包括的又は具体的な例を示すものである。以下の実施の形態で示される数値、形状、材料、構成要素、構成要素の配置位置及び接続形態、ステップ、ステップの順序等は、一例であり、本発明を限定する主旨ではない。また、以下の実施の形態における構成要素のうち、独立請求項に記載されていない構成要素については、任意の構成要素として説明される。
【００１４】
なお、各図は模式図であり、必ずしも厳密に図示されたものではない。また、各図において、実質的に同一の構成に対しては同一の符号を付しており、重複する説明は省略又は簡略化される場合がある。
【００１５】
また、以下の実施の形態において、方向を示す表現を用いている。例えば、平行とは、完全に平行であることを意味するだけでなく、実質的に平行とする、すなわち、例えば数％程度のずれを含むことも意味する。
【００１６】
（実施の形態）
［認知機能評価システムの構成］
実施の形態に係る認知機能評価システムの構成に関して説明する。図１は、実施の形態に係る認知機能評価システムの構成を示す図である。
【００１７】
認知機能評価システム２００は、被評価者Ｕが発した音声から、被評価者Ｕの認知機能を評価するための装置である。認知機能とは、認識したり、記憶したり、判断したりする能力を示す。一具体例として、認知機能評価装置１００は、認知症である人（認知症患者）かどうかを評価する。
【００１８】
認知症とは、上述した認知機能の低下が見られる症状を示す。認知症の一具体例としては、アルツハイマー型認知症（ＡＤ：Ａｌｚｈｅｉｍｅｒ’ｓ  ｄｉｓｅａｓｅ）が挙げられる。認知症は自覚症状がないため、認知症患者の家族又は第三者等が認知症患者に病院での診察を促すことで、認知症患者は医師からの診察を受けることとなる。また、ＭｏＣＡ（Ｍｏｎｔｒｅａｌ  Ｃｏｇｎｉｔｉｖｅ  Ａｓｓｅｓｓｍｅｎｔ）テスト等の認知症の診断のためのバッチテストを被評価者Ｕが受けることにより、被評価者Ｕが認知症であるかどうかを確認することができる。
【００１９】
しかしながら、ＭｏＣＡテストは、１５分程度の時間を要する。また、ＭｏＣＡテストは、被評価者Ｕの経時的な変化を診断するために、日をおいて複数回実行することで、被評価者Ｕが認知症であるかどうかの判定を行う必要がある。つまり、ＭｏＣＡテストは、被評価者Ｕが認知症であるかどうかを診断するために、長い期間を要する。
【００２０】
ところで、認知症患者と、認知症ではない人（健常者）とでは、発話した単語が同じ単語であっても音声に違いがあることが知られている。
【００２１】
認知機能評価システム２００は、被評価者Ｕの音声を解析することで、被評価者Ｕの認知機能を精度良く評価する装置である。
【００２２】
図１に示されるように、認知機能評価システム２００は、認知機能評価装置１００と、集音装置３００と、表示装置４００と、入力装置５００とを備える。
【００２３】
認知機能評価装置１００は、集音装置３００によって、被評価者Ｕが発した音声を示す音声データを取得し、取得した音声データから被評価者Ｕの認知機能を評価するコンピュータである。
【００２４】
集音装置３００は、被評価者Ｕが発した音声を検出して、検出した音声を示す音声データを認知機能評価装置１００へ出力するマイクである。被評価者Ｕが発した音声を精度良く検出するために、集音装置３００の周囲には、遮音壁３１０、及び／又は、ポップガード３２０が配置されていてもよい。
【００２５】
表示装置４００は、認知機能評価装置１００から出力される画像データに基づいた画像を表示する。表示装置４００は、具体的には、液晶パネル、又は、有機ＥＬパネルなどによって構成されるモニタ装置である。表示装置４００として、テレビ、スマートフォン、又は、タブレット端末などの情報端末が用いられてもよい。
【００２６】
入力装置５００は、被評価者Ｕ、認知機能の評価を行う医師、または、医師の補助者などの操作を受け付けるユーザインターフェース装置である。入力装置５００は、例えば、マウス及びキーボードなどによって実現される。
【００２７】
認知機能評価装置１００と、集音装置３００及び表示装置４００とは、音声データ又は画像データを送受信可能であればよく、有線で接続されていてもよいし、無線通信可能に接続されていてもよい。
【００２８】
認知機能評価装置１００は、集音装置３００によって検出された音声データに基づいて被評価者Ｕの音声を分析し、分析した結果から被評価者Ｕの認知機能を評価し、評価した結果を示す画像を表示するための画像データを表示装置４００へ出力する。こうすることで、認知機能評価装置１００は、自覚症状がない認知症患者へ認知機能の程度を通知できるため、例えば、認知症患者に医師に診察を受けるように促すことができる。言い換えると、認知機能評価装置１００は、自覚症状がない認知症患者へ認知機能の程度を通知することで、認知症患者が医師に診察を受ける支援をすることができる。
【００２９】
なお、認知機能評価装置１００は、例えば、パーソナルコンピュータであるが、サーバ装置であってもよい。
【００３０】
図２は、実施の形態に係る認知機能評価装置１００の特徴的な機能構成を示すブロック図である。認知機能評価装置１００は、取得部１１０と、算出部１２０と、評価部１３０と、出力部１４０と、記憶部１５０と、指示部１６０とを備える。
【００３１】
取得部１１０は、集音装置３００によって検出された音声データを取得する。また、取得部１１０は、入力装置５００への操作に応じて入力装置５００から認知機能評価装置１００に入力される各種情報を取得する。取得部１１０は、例えば、有線通信又は無線通信を行う通信インターフェースである。
【００３２】
算出部１２０は、取得部１１０で取得した被評価者Ｕの音声データを解析する処理部である。算出部１２０は、具体的には、プロセッサ、マイクロコンピュータ、又は、専用回路によって実現される。
【００３３】
算出部１２０は、取得部１１０が取得した音声データから特徴量を算出する。ここで、特徴量とは、評価部１３０が被評価者Ｕの認知機能を評価するために用いる音声データから算出される被評価者Ｕの音声の特徴を示す数値である。例えば、特徴量は、取得部１１０によって取得された音声データの母音部分から得られるフォルマントに基づく。特徴量は、より具体的には、第一フォルマントのばらつき、第二フォルマントのばらつき、第一フォルマント及び第二フォルマントの比率のばらつきなどである。なお、以下の実施の形態において、フォルマントとは、フォルマントの周波数を意味する。ばらつきは、例えば、標準偏差によって表される。フォルマントについては、後で補足する。
【００３４】
評価部１３０は、算出部１２０が算出した特徴量と、記憶部１５０に記憶されている参照データ１５１とを照合し、被評価者Ｕの認知機能を評価する。評価部１３０は、具体的には、プロセッサ、マイクロコンピュータ、又は、専用回路によって実現される。
【００３５】
出力部１４０は、評価部１３０が評価した被評価者Ｕの認知機能の評価結果を表示装置４００へ出力する。出力部１４０は、例えば、有線通信又は無線通信を行う通信インターフェースである。
【００３６】
記憶部１５０は、特徴量と、人の認知機能との関係を示す参照データ１５１が記憶されている記憶装置である。参照データ１５１は、被評価者Ｕの認知機能の程度の評価が行われるときに評価部１３０によって参照される。記憶部１５０は、例えば、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、半導体メモリ、ＨＤＤ（Ｈａｒｄ  Ｄｉｓｋ  Ｄｒｉｖｅ）等によって実現される。
【００３７】
また、記憶部１５０には、算出部１２０及び評価部１３０が実行するプログラム、及び、被評価者Ｕの認知機能の評価結果を出力する際に用いられる当該評価結果を示す画像データも記憶されている。また、記憶部１５０には、後述する指示用の画像も記憶される。
【００３８】
指示部１６０は、所定の音節が繰り返されるフレーズを素早く発音することを指示する。指示部１６０は、具体的には、記憶部１５０に記憶された、所定の音節が繰り返されるフレーズを素早く発音することを指示するための指示用の画像の画像データを取得し、当該画像データを出力部１４０を介して表示装置４００に出力する。このように、指示部１６０は、表示装置４００に指示用の画像を表示させることにより、所定の音節が繰り返されるフレーズを素早く発音することを指示する。
【００３９】
指示部１６０は、具体的には、プロセッサ、マイクロコンピュータ、又は、専用回路によって実現される。
【００４０】
テスト処理部１７０は、後述の音量テスト処理に関する情報処理を行う。テスト処理部１７０は、具体的には、プロセッサ、マイクロコンピュータ、又は、専用回路によって実現される。
【００４１】
なお、算出部１２０、評価部１３０、指示部１６０、及び、テスト処理部１７０は、それぞれの機能を併せ持つ１つのプロセッサ、マイクロコンピュータ、又は、専用回路で実現されてもよいし、プロセッサ、マイクロコンピュータ、又は、専用回路のうちの２つ以上の組み合わせによって実現されてもよい。
【００４２】
［認知機能評価装置の動作］
次に、認知機能評価装置１００の動作について説明する。図３は、認知機能評価装置１００の動作のフローチャートである。
【００４３】
まず、認知機能評価装置１００は、音量テスト処理を行った後（Ｓ１０）、認知機能評価処理を行う（Ｓ１１）。音量テスト処理は、被評価者Ｕに発話練習をさせ、認知機能評価処理の前に、被評価者Ｕの発話音量の適正化を図る処理である。つまり、ここでのテストとは、トライアル（試行）の意味である。
【００４４】
被評価者Ｕの音声が極端に小さい場合、被評価者Ｕの音声が周囲の雑音に埋もれてしまうか、あるいは、被評価者Ｕの音声データが電気信号のホワイトノイズの影響を受けてしまうなどの理由で認知機能の評価の精度が低下してしまう可能性がある。また、被評価者Ｕの声が極端に大きい場合、集音装置３００のダイナミックレンジを超えてしまい、音声データの波形が歪んでしまい、認知機能の評価の精度が低下してしまう可能性がある。
【００４５】
そこで、認知機能評価装置１００は、音量テスト処理を行うことで被評価者Ｕの発話音量の適正化を図った上で認知機能評価処理を行う。
【００４６】
［音量テスト処理の手順］
続いて、認知機能評価装置１００が実行する音量テスト処理の具体的な手順について説明する。図４は、音量テスト処理の手順を示すフローチャートである。
【００４７】
まず、取得部１１０は、入力装置５００への操作に応じて認知機能評価装置１００に入力される被評価者Ｕの識別情報を取得する（Ｓ２０）。入力装置５００への操作は、被評価者Ｕ、認知機能の評価を行う医師、または、医師の補助者などによって行われる。
【００４８】
次に、指示部１６０は、テスト用の文章を発話することを指示する（ステップＳ２１）。指示部１６０は、記憶部１５０に記憶された、被評価者Ｕへのテスト指示用の画像の画像データを取得し、当該画像データを、出力部１４０を介して表示装置４００に出力する。そうすると、図５に示すように、表示装置４００には、被評価者Ｕへのテスト指示用の画像４１０が表示される。図５は、テスト指示用の画像の一例を示す図である。図５の画像では、被評価者Ｕの名前を発話することが指示されているが、発話されるテスト用の文章は特に限定されず、当日の天気などであってもよい。テスト用の文章は、例えば、本番の評価に用いられる文章（フレーズ）とは異なる文章である。
【００４９】
次に、取得部１１０は、ステップＳ２１の指示を受けた被評価者Ｕのテスト用の音声データを集音装置３００を介して取得する（ステップＳ２２）。
【００５０】
次に、テスト処理部１７０は、取得部１１０が取得したテスト用の音声データの音量を算出する（ステップＳ２３）。音量は、例えば、音声データの波形の一定期間における平均振幅に基づいて算出されるが、音声データの波形のピーク振幅に基づいて定められてもよい。
【００５１】
次に、テスト処理部１７０は、ステップＳ２３において算出された音量が所定の音量範囲内であるか否かを判定する（ステップＳ２４）。所定の音量範囲は、経験的または実験的に定められ、あらかじめ記憶部１５０に記憶される。
【００５２】
テスト処理部１７０は、算出された音量が所定の音量範囲内であると判定した場合（ステップＳ２４でＹｅｓ）、音量が適正であることを示す情報として、第１画像を被評価者Ｕに提示する（ステップＳ２５）。テスト処理部１７０は、具体的には、記憶部１５０に記憶された第１画像の画像データを取得し、当該画像データを、出力部１４０を介して表示装置４００に出力する。そうすると、図６に示すように、表示装置４００には、第１画像４２０が表示される。図６は、被評価者Ｕの発話音量が適正であることを示す第１画像４２０の一例を示す図である。第１画像４２０には、喜ぶ子供のイラストと、音量が適正であることを示す文字情報と、音量情報（音量値、及び、バロメータ）とが含まれるが、このような各種情報の少なくとも一部が含まれればよい。また、発話音量が適正か否かはＬＥＤ（Ｌｉｇｈｔ  Ｅｍｉｔｔｉｎｇ  Ｄｉｏｄｅ）などの発光素子によって実現される発光装置の点滅によって示されてもよい。
【００５３】
テスト処理部１７０は、算出された音量が所定の音量範囲外であると判定した場合（ステップＳ２４でＮｏ）、算出された音量が所定の音量範囲よりも大きいか否かを判定する（ステップＳ２６）。
【００５４】
テスト処理部１７０は、音量が所定の音量範囲よりも大きいと判定された場合に（ステップＳ２６でＹｅｓ）、被評価者Ｕに小さい声で発話することを指示する情報として、第２画像を被評価者Ｕに提示する（ステップＳ２７）。テスト処理部１７０は、具体的には、記憶部１５０に記憶された第２画像の画像データを取得し、当該画像データを、出力部１４０を介して表示装置４００に出力する。そうすると、図７に示すように、表示装置４００には第２画像４３０が表示される。図７は、被評価者Ｕに小さい声で発話することを指示する第２画像４３０の一例を示す図である。第２画像４３０には、耳を塞ぐ子供のイラストと、小さい声で発話することを指示する文字情報と、音量情報（音量値、及び、バロメータ）とが含まれるが、このような各種情報の少なくとも一部が含まれればよい。
【００５５】
テスト処理部１７０は、音量が所定の音量範囲よりも小さいと判定された場合に（ステップＳ２６でＮｏ）、被評価者Ｕに大きい声で発話することを指示する情報として、第３画像を被評価者Ｕに提示する（ステップＳ２８）。テスト処理部１７０は、具体的には、記憶部１５０に記憶された第３画像の画像データを取得し、当該画像データを、出力部１４０を介して表示装置４００に出力する。そうすると、図８に示すように、表示装置４００には、第３画像４４０が表示される。図８は、被評価者Ｕに大きい声で発話することを指示する第３画像４４０の一例を示す図である。第３画像４４０には、音が聞こえないジェスチャをする子供のイラストと、大きい声で発話することを指示する文字情報と、音量情報（音量値、及び、バロメータ）とが含まれるが、このような各種情報の少なくとも一部が含まれればよい。なお、第３画像４４０には、子供が大きな口を空けて話をするイラストが含まれてもよい。
【００５６】
このように、認知機能評価装置１００は、取得されたテスト用の音声データに基づいて、テストの後に行われる本番の評価用の音声データの音量を所定の音量範囲に近づけるための情報処理を行う。認知機能評価装置１００は、具体的には、音声データの音量が所定の音量範囲よりも大きいと判定された場合に、小さい声で発話することを指示する情報を被評価者Ｕに提示し、音声データの音量が所定の音量範囲よりも小さいと判定された場合に、大きい声で発話することを指示する情報を被評価者Ｕに提示する。これにより、音量が適正な範囲外のまま本番の評価が行われることが抑制されるため、認知機能の評価精度が向上される。
【００５７】
なお、ステップＳ２５、ステップＳ２７、及び、ステップＳ２８の後、テスト処理部１７０は、ステップＳ２０で取得された被評価者Ｕの識別情報と、第１画像４２０、第２画像４３０、及び、第３画像４４０のいずれの画像を提示したかを示す画像識別情報とを対応付けて履歴情報として記憶する（ステップＳ２９）。つまり、テスト処理部１７０は、被評価者Ｕに対してのどのような画像を提示したかを示す履歴情報を記憶する。
【００５８】
これにより、テスト処理部１７０は、次回、音量テスト処理を行う際に、ステップＳ２０の処理の後に記憶部１５０内の履歴情報を参照することで、ステップＳ２１〜ステップＳ２４、ステップＳ２６の処理を省略して、今回の音量テスト処理の際に提示された画像と同一の画像を提示することができる。つまり、テスト処理部１７０は、音量を調整するために行われた情報処理の具体的内容（どのような画像を提示したか）が記憶された後に被評価者Ｕの認知機能の評価を行う際に、記憶部１５０に記憶された情報処理部と内容が同一の情報処理を行う。
【００５９】
［音量テスト処理の変形例］
図４のフローチャートのステップＳ２７及びステップＳ２８では、テスト処理部１７０は、被評価者Ｕに発話音量の調整を指示する画像（情報）を提示した。しかしながら、ステップＳ２７及びステップＳ２８では、テスト処理部１７０は、被評価者Ｕに被評価者Ｕと集音装置３００との位置関係の調整を指示する画像（情報）を提示してもよい。
【００６０】
例えば、集音装置３００が固定されて動かない場合、テスト処理部１７０は、ステップＳ２７において、集音装置３００から遠ざかって発話することを指示する画像を被評価者Ｕに提示する。図９は、被評価者Ｕに集音装置３００から遠ざかって発話することを指示する画像の一例を示す図である。
【００６１】
同様に、集音装置３００が固定されて動かない場合、テスト処理部１７０は、ステップＳ２８において、集音装置３００に近づいて発話することを指示する画像を被評価者Ｕに提示する。図１０は、被評価者Ｕに集音装置３００に近づいて発話することを指示する画像の一例を示す図である。
【００６２】
また、集音装置３００が手動で位置調整が可能な機構を有している場合、テスト処理部１７０は、集音装置３００を被評価者Ｕから遠ざけて発話することを指示する画像を被評価者Ｕに提示する。図１１は、被評価者Ｕに、集音装置３００を被評価者Ｕから遠ざけて発話することを指示する画像の一例を示す図である。
【００６３】
同様に、集音装置３００が手動で位置調整が可能な機構を有している場合、テスト処理部１７０は、集音装置３００を被評価者Ｕに近づけて発話することを指示する画像を被評価者Ｕに提示する。図１２は、被評価者Ｕに、集音装置３００を被評価者Ｕに近づけて発話することを指示する画像の一例を示す図である。
【００６４】
また、集音装置３００が、集音装置３００の位置を調整するための電動駆動装置に接続されている場合、テスト処理部１７０は、判定結果に基づいて電動駆動装置を駆動することで集音装置３００の位置調整を行ってもよい。図１３は、集音装置３００が電動駆動装置に接続される場合の認知機能評価システム２００の構成を示す図である。
【００６５】
例えば、テスト処理部１７０は、ステップＳ２７において、集音装置３００を被評価者Ｕから遠ざけるための第１制御信号を電動駆動装置６００に出力し、ステップＳ２８において、集音装置３００を被評価者Ｕに近づけるための第２制御信号を電動駆動装置６００に出力する。
【００６６】
この場合もステップＳ２９において、被評価者Ｕの識別情報と電動駆動装置６００をどのように駆動したかとが履歴情報として記憶されれば、次回の音量テスト処理を行う際に処理を省略できる。つまり、テスト処理部１７０は、音量を調整するために行われた情報処理の具体的内容（どのように電動駆動装置６００を駆動したか）が記憶された後に被評価者Ｕの認知機能の評価を行う際に、記憶部１５０に記憶された情報処理部と内容が同一の情報処理を行う。
【００６７】
［認知機能評価処理の手順］
続いて、認知機能評価装置１００が実行する認知機能評価処理の具体的な手順について説明する。図１４は、認知機能評価処理の手順を示すフローチャートである。図１５は、認知機能評価装置１００による被評価者Ｕの音声の取得方法の概要を示す図である。
【００６８】
まず、指示部１６０は、所定の音節が繰り返されるフレーズを素早く発音することを指示する（ステップＳ１００）。図１５の（ａ）に示すように、例えば、ステップＳ１００において、医者Ｄ等は、被評価者Ｕへ「端末に指示が表示されるので、指示の通りに話してもらえませんか？」というように声をかける。指示部１６０は、記憶部１５０に記憶された、被評価者Ｕへの指示用の画像の画像データを取得し、当該画像データを、出力部１４０を介して表示装置４００に出力する。そうすると、図１５の（ｂ）に示すように、表示装置４００には、被評価者Ｕへの指示用の画像４６０が表示される。このように、被評価者Ｕへの指示用の画像４６０が表示されることで、医者Ｄが自身の声で被評価者Ｕに指示を行う場合と比較して、音声データにノイズが入りにくくなる。
【００６９】
指示用の画像４６０は、具体的には、所定の音節を素早く繰り返して発音することを被評価者Ｕに指示する画像である。このように、所定の音節が繰り返されるフレーズを被評価者に素早く発音させる構成は、フォルマントのばらつきを算出するのに適している。
【００７０】
所定の音節は、例えば、閉鎖子音、及び、当該閉鎖子音に続く母音によって構成される。所定の音節がこのように構成されることにより、被評価者Ｕの認知機能は精度よく評価され得る。日本語においては、このような所定の音節は、例えば、「ぱ」、「た」、及び、「か」などである。なお、閉鎖子音には、破裂音及び破擦音などが含まれる。破裂音及び破擦音は、口及び鼻の両方の声道を完全に閉鎖し、内部の気圧を高めた後、それを開放して出す音である。
【００７１】
指示用の画像４１０においては、所定の音節を５秒以上発音するように指示が行われている。つまり、指示部１６０は、所定の音節が繰り返されるフレーズを５秒以上発音することを指示し、この結果、取得部１１０は、５秒以上続く音声データを取得することができる。これにより、認知機能評価装置１００は、第一フォルマントのばらつきを算出するのに十分な長さの音声データを取得することができる。
【００７２】
次に、取得部１１０は、ステップＳ１００の指示を受けた被評価者Ｕの音声データを集音装置３００を介して取得する（ステップＳ１０１）。図１５の（ｃ）に示すように、ステップＳ１０１において、例えば、被評価者Ｕは、「ぱぱぱぱぱ・・」、「たたたたた・・」、または「かかかかか・・」などのフレーズを集音装置３００に向けて発する。取得部１１０は、被評価者Ｕが発したこれらのフレーズを、音声データとして取得する。
【００７３】
次に、算出部１２０は、取得部１１０が取得した音声データから特徴量を算出する（ステップＳ１０２）。ステップＳ１０２において、例えば、算出部１２０は、音声データの母音部分を特定し、特定した母音部分のスペクトルから得られるフォルマントに基づく特徴量を算出する。算出部１２０は、具体的には、特定した母音部分のスペクトルから得られる第一フォルマントのばらつきを特徴量として算出する。例えば、音声データに所定の音節がｎ個（ｎは自然数）含まれる場合には、ｎ個の第一フォルマントが得られ、これらの全部または一部を用いて第一フォルマントのばらつきが算出される。
【００７４】
なお、算出部１２０は、特定した母音部分のスペクトルから得られる第二フォルマントのばらつきを特徴量として算出してもよい。また、算出部１２０は、特定した母音部分のスペクトルから得られる第一フォルマント及び第二フォルマントの比率のばらつきを特徴量として算出してもよい。
【００７５】
次に、評価部１３０は、ステップＳ１０２で算出部１２０が算出した特徴量から被評価者Ｕの認知機能を評価する（ステップＳ１０３）。ステップＳ１０４において、評価部１３０は、例えば、ステップＳ１０２で算出部１２０が算出した第一フォルマントのばらつきと、記憶部１５０に記憶された参照データ１５１とから、被評価者Ｕの認知機能を評価する。
【００７６】
次に、出力部１４０は、評価部１３０が評価した被評価者Ｕの認知機能の評価結果を出力する（ステップＳ１０４）。ステップＳ１０４において、出力部１４０は、例えば、ステップＳ１０３で評価部１３０が評価した評価結果に対応する画像の画像データを記憶部１５０から取得して、表示装置４００へ取得した画像データを送信する。
【００７７】
表示装置４００は、出力部１４０が出力した画像データを取得して、当該画像データに基づいて画像を表示する。図１６は、評価結果に対応する画像の一例を示す図である。図１６に示される画像４５０は、被評価者Ｕの認知機能が低下傾向にあることを示す。
【００７８】
このように、評価結果が画像として表示されることで、被評価者Ｕは、簡便に、認知機能の評価結果を確認することができる。また、被評価者Ｕが自宅等で認知機能評価装置１００を用いて認知機能を評価している場合には、認知機能評価装置１００は、画像の表示により被評価者Ｕに対して医者等の診察を促すことも可能である。
【００７９】
［フォルマント］
以下、フォルマントについて補足する。図１７は、音声データから算出部１２０が算出するフォルマントを説明するための図である。具体的には、図１７は、横軸が時間である音声データを、横軸を周波数に変換して得られるスペクトルを示すグラフである。なお、図１７の縦軸は、振幅である。
【００８０】
図１７に破線で示すように、音声データの横軸を周波数に変換して得られるデータには、複数のピークが確認される。複数のピークのうち、周波数の最も低いピークの周波数は、第一フォルマントＦ１である。また、第一フォルマントＦ１の次に周波数の低いピークの周波数は、第二フォルマントＦ２である。また、第二フォルマントＦ２の次に周波数の低いピークの周波数は、第三フォルマントＦ３である。
【００８１】
第一フォルマントＦ１は、人の音声の低周波数側から数えて１番目に見られるピーク周波数であり、舌の動きに関する特徴が反映されやすいことが知られている。また、認知症患者は、健常者と比較して舌をうまく動かせない場合が多い。そのため、第一フォルマントＦ１には、健常者と認知症患者とで違いが生じやすいと考えられる。したがって、第一フォルマントに関する量を特徴量として認知機能の評価に用いることで、精度良く被評価者Ｕの認知機能は評価され得る。
【００８２】
第二フォルマントＦ２は、人の音声の低周波数側から数えて２番目に見られるピーク周波数であり、声帯音源が声道、唇及び舌等の口腔、鼻腔等で生じる共鳴のうち、舌の位置に関する影響が反映されやすいことが知られている。また、認知症患者は、健常者と比較して舌やあごの位置を維持する運動機能が衰える場合が多い。そのため、第二フォルマントＦ２には、健常者と認知症患者とで違いが生じやすいと考えられる。したがって、第二フォルマントに関する量を特徴量として認知機能の評価に用いることで、精度良く被評価者Ｕの認知機能は評価され得る。
【００８３】
算出部１２０は、取得部１１０が取得した音声データから既知の方法により母音部分を抽出して、抽出した母音部分の音声データを、周波数に対する振幅にデータ変換することにより母音のスペクトルを算出し、フォルマントを算出する。なお、フォルマントの振幅とは、例えば、図１７に示す各フォルマントの周波数におけるピーク強度である。
【００８４】
なお、図１７に示すグラフは、音声データを周波数に対する振幅のデータに変換し、そのデータの包落線を求めることにより算出される。包落線の計算には、例えば、ケプストラム分析、線形予測分析（Ｌｉｎｅａｒ  Ｐｒｅｄｉｃｔｉｖｅ  Ｃｏｄｉｎｇ：ＬＰＣ）等が採用される。
【００８５】
［具体的な評価方法］
一般に、被評価者Ｕが認知症であるかどうかは、ＭｏＣＡテストを被評価者Ｕが受けることにより診断される。ＭｏＣＡテストは、認知症の診断のためのバッチテストである、被評価者Ｕが認知症であるかどうかを特定することができる。図１８は、被評価者ＵがＭｏＣＡテストを受けた際に獲得したスコアを示す図である。
【００８６】
発明者らは、健常者（ＮＣ：Ｎｏｒｍａｌ  Ｃｏｎｔｒｏｌｓ）、軽度の認知症患者（ＭＣＩ：Ｍｉｌｄ  Ｃｏｇｎｉｔｉｖｅ  Ｉｎｐａｉｒｍｅｎｔ）及び認知症患者（ＡＤ）を含む複数の被評価者を集めて、ＭｏＣＡテストを実施した。ＮＣの被評価者数（Ｎｕｍｂｅｒ  ｏｆ  ｓｕｂｊｅｃｔｓ）は９０人とし、ＭＣＩの被評価者数は９４人とし、ＡＤの被評価者数は９３人とした。
【００８７】
図１８から、ＮＣ、ＭＣＩ及びＡＤでＭｏＣＡのスコアの平均値（ＭｏＣＡ  ａｖｅｒａｇｅ  ｓｃｏｒｅ）及びスコアの範囲（ＭｏＣＡ  ｓｃｏｒｅ  ｒａｎｇｅ）が異なることが確認できる。具体的には、ＮＣのＭｏＣＡのスコアの平均値は２７．４であり、ＭＣＩのＭｏＣＡのスコアの平均値は２２．１であり、ＡＤのＭｏＣＡのスコアの平均値は１６．２であった。このように得られるＭｏＣＡテスト等の結果と、第一フォルマントＦ１のばらつきとの相関を参照データ１５１として用いることで、認知機能評価装置１００は、被評価者Ｕの音声と参照データ１５１とから、被評価者Ｕの認知機能を評価することができる。
【００８８】
参照データ１５１においては、具体的には、第一フォルマントのばらつきが大きいほど、認知機能が低い傾向がみられる。そこで、評価部１３０は、参照データ１５１に基づいて、第一フォルマントのばらつきが大きいほど、認知機能が低いと評価する。
【００８９】
なお、上述のように、特徴量としては、第一フォルマントのばらつきの他に、第二フォルマントのばらつき、または、第一フォルマント及び第二フォルマントの比率のばらつきが用いられてもよい。この場合も、評価部１３０は、例えば、第二フォルマントのばらつきが大きいほど、認知機能が低いと評価し、第一フォルマント及び第二フォルマントの比率のばらつきが大きいほど、認知機能が低いと評価する。
【００９０】
また、上記参照データにおけるばらつきと認知機能との関係は、現時点における発明者らの上記被評価者らを集めたデータ分析によるものであるが、今後、より多くの被評価者を集めたデータ分析、条件を見直したデータ分析などが行われることにより評価基準が変更になる可能性がある。したがって、第一フォルマントのばらつきが大きいほど、認知機能が高いと評価される場合もありえる。第二フォルマントのばらつき、または、第一フォルマント及び第二フォルマントの比率のばらつきについても同様である。
【００９１】
［特徴量の別の例］
上記実施の形態では、算出部１２０は、フォルマントに基づく特徴量を算出したが、これ以外の特徴量を算出してもよい。
【００９２】
例えば、算出部１２０は、音声データの基本周波数の単位時間あたりの変動を特徴量として算出してもよい。ここでの基本周波数は、音源の振動数を意味する。つまり、被評価者Ｕが発した音声の音程を意味する。基本周波数の単位時間あたりの変動とは、基本周波数の単位時間あたりの変化量を意味する。
【００９３】
この場合、評価部１３０は、例えば、音声データの基本周波数の単位時間あたりの変動が大きいほど、認知機能が低いと評価するが、音声データの基本周波数の単位時間あたりの変動が大きいほど、認知機能が高いと評価してもよい。なお、この場合の詳細な評価基準については、上記参照データ１５１と同様に、実験的または経験的に適宜定められればよい。
【００９４】
また、算出部１２０は、音声データの基本周波数の単位時間あたりの変動幅を特徴量として算出してもよい。基本周波数の単位時間あたりの変動量とは、当該単位時間における基本周波数の最大値と最小値との差を意味する。
【００９５】
この場合、評価部１３０は、例えば、音声データの基本周波数の単位時間あたりの変動量が大きいほど、認知機能が低いと評価するが、音声データの基本周波数の単位時間あたりの変動量が大きいほど、認知機能が高いと評価してもよい。なお、この場合の詳細な評価基準については、上記参照データ１５１と同様に、実験的または経験的に適宜定められればよい。
【００９６】
［効果等］
以上説明したように、認知機能評価装置１００は、認知機能の評価を行うための被評価者Ｕの第１音声データを取得する前に、被評価者Ｕのテスト用の第２音声データを集音装置３００から取得する取得部１１０と、取得された第２音声データに基づいて、第１音声データの音量を所定の音量範囲に近づけるための情報処理を行うテスト処理部１７０とを備える。テスト処理部１７０は、情報処理部の一例である。
【００９７】
このような認知機能評価装置１００は、上記情報処理によって被評価者Ｕの発話音量の適正化を図った上で認知機能の評価を行うため、精度良く被評価者Ｕの認知機能の評価を行うことができる。
【００９８】
また、例えば、テスト処理部１７０は、上記情報処理として、被評価者Ｕに発話音量の調整を指示する情報を提示する。例えば、テスト処理部１７０は、第２音声データの音量が所定の音量範囲よりも大きいと判定された場合に、小さい声で発話することを指示する情報を被評価者Ｕに提示し、第２音声データの音量が所定の音量範囲よりも小さいと判定された場合に、大きい声で発話することを指示する情報を被評価者Ｕに提示する。
【００９９】
このような認知機能評価装置１００は、被評価者Ｕに発話音量の調整を指示した上で認知機能の評価を行うため、第２音声データを増幅または減衰する信号処理を行わずに被評価者Ｕの認知機能の評価を行うことができる可能性が高まる。つまり、認知機能評価装置１００は、精度良く被評価者Ｕの認知機能の評価を行うことができる。
【０１００】
また、例えば、テスト処理部１７０は、上記情報処理として、被評価者Ｕに被評価者Ｕと集音装置３００との位置関係の調整を指示する情報を提示する。
【０１０１】
例えば、集音装置３００が固定されている場合、テスト処理部１７０は、第２音声データの音量が所定の音量範囲よりも大きいと判定された場合に、集音装置３００から遠ざかって発話することを指示する情報を被評価者Ｕに提示し、第２音声データの音量が所定の音量範囲よりも小さいと判定された場合に、集音装置３００に近づいて発話することを指示する情報を被評価者Ｕに提示する。
【０１０２】
また、例えば、集音装置３００が手動で位置調整が可能である場合、テスト処理部１７０は、第２音声データの音量が所定の音量範囲よりも大きいと判定された場合に、集音装置３００を被評価者Ｕから遠ざけて発話することを指示する情報を被評価者Ｕに提示し、第２音声データの音量が所定の音量範囲よりも小さいと判定された場合に、集音装置３００を被評価者Ｕに近づけて発話することを指示する情報を被評価者Ｕに提示する。
【０１０３】
このような認知機能評価装置１００は、被評価者Ｕに被評価者Ｕと集音装置３００との位置関係の調整を指示した上で認知機能の評価を行うため、被評価者Ｕ自身に発話音量の調整を要求することなく、精度良く被評価者Ｕの認知機能の評価を行うことができる。発話音量の調整は、高齢者には難しい場合があり、被評価者Ｕと集音装置３００との位置関係の調整を指示する構成は、このような場合に有用である。
【０１０４】
また、例えば、集音装置３００は、集音装置３００の位置を調整するための電動駆動装置６００に接続され、テスト処理部１７０は、上記情報処理として、電動駆動装置６００を駆動するための制御信号を出力する。
【０１０５】
このような認知機能評価装置１００は、認知機能評価装置１００が自動的に被評価者Ｕと集音装置３００との位置関係の調整した上で認知機能の評価を行うため、被評価者Ｕ自身に行動を要求することなく、精度良く被評価者Ｕの認知機能の評価を行うことができる。
【０１０６】
また、例えば、認知機能評価装置１００は、さらに、記憶部１５０を備える。テスト処理部１７０は、情報処理を行った後、情報処理の内容を被評価者Ｕの識別情報と対応付けて記憶部１５０に記憶し、情報処理の内容が記憶された後に前記被評価者の認知機能の評価を行う際に、記憶部１５０に記憶された情報処理と内容が同一の情報処理を行う。
【０１０７】
このような認知機能評価装置１００は、２回目以降の音量のテストを実質的に省略することで、認知機能の評価にかかる時間を短縮することができる。
【０１０８】
また、認知機能評価システム２００は、認知機能評価装置１００と、集音装置３００とを備える。
【０１０９】
このような認知機能評価システム２００は、上記情報処理によって被評価者Ｕの発話音量の適正化を図った上で認知機能の評価を行うため、精度良く被評価者Ｕの認知機能の評価を行うことができる。
【０１１０】
また、認知機能評価装置１００などのコンピュータが実行する認知機能評価方法は、認知機能の評価を行うための被評価者Ｕの第１音声データを取得する前に、被評価者Ｕのテスト用の第２音声データを集音装置３００から取得する取得ステップと、取得された第２音声データに基づいて、第１音声データの音量を所定の音量範囲に近づけるための情報処理を行う情報処理ステップとを含む。
【０１１１】
このような認知機能評価方法は、上記情報処理によって被評価者Ｕの発話音量の適正化を図った上で認知機能の評価を行うため、精度良く被評価者Ｕの認知機能の評価を行うことができる。
【０１１２】
（変形例）
続いて、実施の形態の変形例１及び変形例２に係る認知機能評価システムについて説明する。なお、実施の形態と同一の構成に関しては同一の符号を付しており、重複する説明は省略又は簡略化する場合がある。
【０１１３】
図１９は、実施の形態の変形例１に係る認知機能評価システムの構成を示す図である。
【０１１４】
実施の形態の変形例１に係る認知機能評価システム２００ａは、実施の形態に係る認知機能評価システム２００と同様に、認知機能評価装置１００と、集音装置３００と、表示装置４００とを備える。認知機能評価システム２００は、例えば、集音装置３００を覆うように、ポップガード３２０を備えてもよい。
【０１１５】
また、認知機能評価システム２００ａでは、指向性を有する集音装置３００が採用されている。ここで、集音装置３００及び表示装置４００は、集音装置３００が最大感度を示す方向（図１９に示す集音方向Ｖ２）と表示装置４００が課題情報を表示する表示面４０１の法線方向Ｖ１とが一致するように配置されている。具体的には、法線方向Ｖ１と集音方向Ｖ２とが平行となるように、集音装置３００及び表示装置４００は、机等の固定物に配置されている。なお、集音装置３００及び表示装置４００は、造営材などに固定されてもよい。また、認知機能評価システム２００ａは、集音装置３００及び表示装置４００の位置関係を固定するための固定具を備えてもよい。
【０１１６】
こうすることで、被評価者Ｕが表示装置４００を見ながら発話した場合においても、集音方向Ｖ２と、発話する方向とが一致しやすくなる。そのため、認知機能評価システム２００ａのような位置関係とすることで、集音装置３００は、被評価者Ｕの音声を正確に検出しやすくなる。
【０１１７】
続いて、実施の形態の変形例２に係る認知機能評価システムについて説明する。
【０１１８】
図２０は、実施の形態の変形例２に係る認知機能評価システムの構成を示す図である。
【０１１９】
実施の形態の変形例２に係る認知機能評価システム２００ｂは、実施の形態に係る認知機能評価システム２００と同様に、認知機能評価装置１００と、集音装置３００ａと、表示装置４００とを備える。
【０１２０】
集音装置３００ａは集音装置３００と同様に、被評価者Ｕが発した音声を検出して、検出した音声を示す音声データを認知機能評価装置１００へ出力するマイクである。また、集音装置３００ａは、実施の形態に係る認知機能評価システム２００における集音装置３００と同様に、指向性を有する。
【０１２１】
認知機能評価システム２００ｂにおいては、集音装置３００ａと表示装置４００とが一体として形成されている。具体的には、集音装置３００ａと表示装置４００とは、同一の筐体に配置されている。集音装置３００ａと表示装置４００とを一体に形成する製造工程において、法線方向Ｖ１と集音方向Ｖ２とを一致するように形成しておけば、被評価者Ｕが認知機能評価システム２００ｂを利用する際に、法線方向Ｖ１及び集音方向Ｖ２がずれることが抑制される。
【０１２２】
（その他の実施の形態）
以上、実施の形態、及び実施の形態の変形例１及び変形例２に係る認知機能評価システム等について説明したが、本発明は、上記実施の形態に限定されるものではない。
【０１２３】
上記実施の形態では、認知機能評価装置は、認知機能の評価の一具体例として、ＮＣかＭＣＩかＡＤかの評価をした。しかしながら、認知機能評価装置は、ＮＣかＭＣＩかＡＤかの評価に限定されない。例えば、被評価者Ｕの酩酊の度合いが評価されてもよい。
【０１２４】
また、上記実施の形態では、認知機能の低下の症状の一具体例として、アルツハイマー型認知症が挙げられた。しかしながら、認知機能とは、認識したり、記憶したり、判断したりする能力を示し、認知症とは、上述した認知機能の低下が見られる症状を示す。つまり、認知機能評価装置が評価する認知機能の程度は、アルツハイマー型認知症に限定されず、例えば、血管性認知症などでもよい。
【０１２５】
また、上記実施の形態では、被評価者Ｕの認知機能の程度を評価するために、ＭｏＣＡテストのスコアとフォルマントに基づく特徴量との関係性を示すデータを参照データ１５１として予め記憶部１５０が記憶している。しかしながら、参照データは、フォルマントの特徴量と照合することで認知機能の程度の評価をすることができるデータであればよく、ＭｏＣＡテストとフォルマントの特徴量との関係性を示すデータに限定されない。例えば、参照データは、ＭＭＳＥ（Ｍｉｎｉ−Ｍｅｎｔａｌ  Ｓｔａｔｅ  Ｅｘａｍｉｎａｔｉｏｎ：ミニメンタルステート検査）等のスコアとフォルマント等の特徴量との関係を示すデータでもよい。
【０１２６】
また、上記実施の形態における認知機能評価処理の具体的内容は、一例である。認知機能評価処理は、被評価者の音声データに基づいて認知機能を評価する処理であればよく、例えば、特許文献２に記載の認知機能評価方法が用いられてもよい。
【０１２７】
また、本発明は、認知機能評価装置が実行するステップをコンピュータに実行させるプログラムとして実現されてもよい。また、本発明は、そのプログラムを記録したコンピュータによって読み取り可能なＣＤ−ＲＯＭ等の記録媒体として実現されてもよい。また、本発明は、そのプログラムを示す情報、データ又は信号として実現されてもよい。そして、それらプログラム、情報、データ及び信号は、インターネット等の通信ネットワークを介して配信されてもよい。
【０１２８】
また、上記実施の形態では、被評価者から得られる音声データのみを特徴量として算出して被評価者の認知機能を評価したが、他の既知の認知機能を評価できるデータを組み合わせて評価を実施してもよい。例えば、認知機能と歩幅、歩隔、歩行速度等の歩行に関する歩行データとには、相関があることが知られている。上記実施の形態で評価された被評価者の音声データと、被評価者の歩行データとを組み合わせて認知機能の評価に用いることで、より精度良く被評価者の認知機能は評価され得る。
【０１２９】
また、上記実施の形態では、算出部に算出される特徴量を複数例示した。評価部は、算出部によって算出された複数の異なる特徴量から、被評価者の認知機能を評価してもよい。また、評価部は、それぞれの特徴量に対して重み付けを実行して、被評価者の認知機能を評価してもよい。評価部が実行する重み付けで用いられる係数は、任意に定められてよい。
【０１３０】
その他、各実施の形態に対して当業者が思いつく各種変形を施して得られる形態、又は、本発明の趣旨を逸脱しない範囲で各実施の形態における構成要素及び機能を任意に組み合わせることで実現される形態も本発明に含まれる。
【符号の説明】
【０１３１】
１００  認知機能評価装置
１１０  取得部
１７０  テスト処理部（情報処理部）
２００、２００ａ、２００ｂ  認知機能評価システム
３００、３００ａ  集音装置
６００  電動駆動装置
Ｕ  被評価者
【図１】
2020208889.tif 000003
【図２】
2020208889.tif 000004
【図３】
2020208889.tif 000005
【図４】
2020208889.tif 000006
【図５】
2020208889.tif 000007
【図６】
2020208889.tif 000008
【図７】
2020208889.tif 000009
【図８】
2020208889.tif 000010
【図９】
2020208889.tif 000011
【図１０】
2020208889.tif 000012
【図１１】
2020208889.tif 000013
【図１２】
2020208889.tif 000014
【図１３】
2020208889.tif 000015
【図１４】
2020208889.tif 000016
【図１５】
2020208889.tif 000017
【図１６】
2020208889.tif 000018
【図１７】
2020208889.tif 000019
【図１８】
2020208889.tif 000020
【図１９】
2020208889.tif 000021
【図２０】
2020208889.tif 000022
【国際調査報告】
2020208889.tif 000023
2020208889.tif 000024
2020208889.tif 000025
2020208889.tif 000026